(57)【要約】【課題】ユーザーは選択した箇所の内容を簡単にスケジュール管理ページまたはタスク管理ページに登録してスケジュールやタスクリストに組み込むことができるアプリケーションソフトウェアを提供する。【解決手段】アプリケーションソフトウェアは、コンピュータの表示部に表示されるウィンドウ（１１０）内のテキスト１１１箇所や画像箇所がユーザーによって選択されたか否かを判定する選択判定ステップと、選択された箇所（１１１）の内容をユーザーの所定操作によりスケジュール管理ページまたはタスク管理ページ（１２０）に登録するまたは登録自在にする選択内容登録ステップとをコンピュータに実行させる。【選択図】図１
2019067298.tif 000002
【特許請求の範囲】
【請求項１】
コンピュータにおいて実行するアプリケーションソフトウェアであって、
前記コンピュータの表示部に表示されるウィンドウ内のテキスト箇所や画像箇所がユーザーによって選択されたか否かを判定する選択判定ステップと、
前記選択された箇所の内容をユーザーの所定操作によりスケジュール管理ページまたはタスク管理ページに登録するまたは登録自在にする選択内容登録ステップとをコンピュータに実行させることを特徴とするアプリケーションソフトウェア。
【請求項２】
前記選択内容登録ステップは、前記所定操作によりスケジュール管理ページまたはタスク管理ページを表示部において表示するとともに選択された箇所の内容をスケジュール管理ページまたはタスク管理ページに入力して登録自在にすることを特徴とする請求項１に記載のアプリケーションソフトウェア。
【請求項３】
前記所定操作が、マウスの右クリックによる操作であることを特徴とする請求項１または請求項２に記載のアプリケーションソフトウェア。
【請求項４】
前記テキストや画像が、前記ウィンドウ内で他のユーザーと対話形式でやり取りされる構成であることを特徴とする請求項１乃至請求項３のいずれか１つに記載のアプリケーションソフトウェア。
【発明の詳細な説明】
【技術分野】
【０００１】
本発明は、コンピュータにおいて実行するアプリケーションソフトウェアに関する。
【背景技術】
【０００２】
従来、チャット形式でメッセージを複数の端末間でやり取りするメッセージ管理システムが知られている（例えば、特許文献１）。
【先行技術文献】
【特許文献】
【０００３】
【特許文献１】特開２０１７−１５７１００号公報（特に段落００４７）
【発明の概要】
【発明が解決しようとする課題】
【０００４】
しかしながら、上述した従来のメッセージ管理システムは、端末に表示されたチャット画面において、次々に新しいメッセージや画像が表示される構成であったため、重要だと思った内容のメッセージや画像がチャット画面内で流れていってしまい（どこかに埋もれてしまい）、ユーザーのスケジュールやタスクに組み込むことが困難であるという問題があった。
【０００５】
そこで、本発明は、前述したような従来技術の問題を解決するものであって、すなわち、本発明の目的は、ユーザーは選択した箇所の内容を簡単にスケジュール管理ページまたはタスク管理ページに登録してスケジュールやタスクリストに組み込むことができるアプリケーションソフトウェアを提供することである。
【課題を解決するための手段】
【０００６】
本請求項１に係る発明は、コンピュータにおいて実行するアプリケーションソフトウェアであって、前記コンピュータの表示部に表示されるウィンドウ内のテキスト箇所や画像箇所がユーザーによって選択されたか否かを判定する選択判定ステップと、前記選択された箇所の内容をユーザーの所定操作によりスケジュール管理ページまたはタスク管理ページに登録するまたは登録自在にする選択内容登録ステップとをコンピュータに実行させることにより、前述した課題を解決するものである。
【０００７】
本請求項２に係る発明は、請求項１に記載されたアプリケーションソフトウェアの構成に加えて、前記選択内容登録ステップは、前記所定操作によりスケジュール管理ページまたはタスク管理ページを表示部において表示するとともに選択された箇所の内容をスケジュール管理ページまたはタスク管理ページに入力して登録自在にすることにより、前述した課題をさらに解決するものである。
【０００８】
本請求項３に係る発明は、請求項１または請求項２に記載されたアプリケーションソフトウェアの構成に加えて、前記所定操作が、マウスの右クリックによる操作であることにより、前述した課題をさらに解決するものである。
【０００９】
本請求項４に係る発明は、請求項１乃至請求項３のいずれか１つに記載されたアプリケーションソフトウェアの構成に加えて、前記テキストや画像が、前記ウィンドウ内で他のユーザーと対話形式でやり取りされる構成であることにより、前述した課題をさらに解決するものである。
【発明の効果】
【００１０】
本請求項１に係る発明のアプリケーションソフトウェアによれば、所望の箇所を選択してから所定操作をするだけで選択された箇所の内容がスケジュール管理ページまたはタスク管理ページに登録されるまたは登録自在となるため、ユーザーは選択した箇所の内容を簡単にスケジュール管理ページまたはタスク管理ページに登録してスケジュールやタスクリストに組み込むことができる。
【００１１】
本請求項２に係る発明のアプリケーションソフトウェアによれば、請求項１に係る発明が奏する効果に加えて、所定操作によりスケジュール管理ページまたはタスク管理ページが表示されるとともに選択された箇所の内容が入力されるため、ユーザーはスケジュール管理ページまたはタスク管理ページを確認しながら選択した箇所の内容を登録することができる。
【００１２】
本請求項３に係る発明のアプリケーションソフトウェアによれば、請求項１または請求項２に係る発明が奏する効果に加えて、マウスの左クリックでテキスト箇所や画像箇所を選択して右クリックで選択箇所の内容がスケジュール管理ページまたはタスク管理ページに登録自在になるため、ユーザーは選択した箇所の内容をスムーズに、かつ、簡単にスケジュール管理ページまたはタスク管理ページに登録することができる。
【００１３】
本請求項４に係る発明のアプリケーションソフトウェアによれば、請求項１乃至請求項３のいずれか１つに係る発明が奏する効果に加えて、所謂、チャット形式のウィンドウで次々に表示されるテキストや画像が選択されて登録されるため、ユーザーは重要な箇所の内容が次々に新しいテキストや画像が表示されるウィンドウの中に埋もれてしまうことを回避することができる。
【図面の簡単な説明】
【００１４】
【図１】（Ａ）（Ｂ）は本発明の第１実施例のアプリケーションソフトウェアのウィンドウ内でテキストが選択されてタスク管理画面を開く動作を説明する図。
【図２】本発明の第１実施例のアプリケーションソフトウェアの概略のチャートを示す図。
【図３】（Ａ）（Ｂ）は本発明の第２実施例のアプリケーションソフトウェアでタスク管理画面を開いてメンバー共通の空き時間を検索する動作を説明する図。
【図４】（Ａ）（Ｂ）は本発明の第３実施例のアプリケーションソフトウェアのウィンドウ内でテキストが選択されてカレンダー画面を開く動作を説明する図。
【発明を実施するための形態】
【００１５】
本発明のアプリケーションソフトウェアは、コンピュータにおいて実行するものであり、コンピュータの表示部に表示されるウィンドウ内のテキスト箇所や画像箇所がユーザーによって選択されたか否かを判定する選択判定ステップと、選択された箇所の内容をユーザーの所定操作によりスケジュール管理ページまたはタスク管理ページに登録するまたは登録自在にする選択内容登録ステップとをコンピュータに実行させることにより、ユーザーは選択した箇所の内容を簡単にスケジュール管理ページまたはタスク管理ページに登録してスケジュールやタスクリストに組み込むことができるものであれば、その具体的な実施態様は、如何なるものであっても構わない。
【００１６】
例えば、コンピュータは、デスクトップ型パーソナルコンピュータ、ノート型パーソナルコンピュータ、スマートフォン、タブレットなど、他の端末と通信自在であり、液晶パネルや有機ＥＬパネルなどの表示部を有してアプリケーションソフトウェアを実行するものであれば如何なるものであっても構わない。
また、アプリケーションソフトウェアの概念には、アプリケーションソフトウェア自体だけでなく、アプリケーションソフトウェアの機能を拡張するアプリケーションソフトウェア追加用アドオンプログラム（以下、追加用アドオンプログラム）が含まれるものとする。
「登録自在」とは、登録する直前であって、ユーザーが登録（保存）するか否かを選択自在な段階（状態）のことをいう。
また、アプリケーションソフトウェアは、特にテキストや画像でメッセージをやり取りするものを意図し、電子メール、チャット、ソーシャル・ネットワーキング・サービスを含む。
【実施例１】
【００１７】
以下に、本発明の第１実施例であるアプリケーションソフトウェアについて、図１（Ａ）乃至図２に基づいて説明する。
ここで、図１（Ａ）は、本発明の第１実施例のアプリケーションソフトウェア起動時のコンピュータの表示部に表示されたウィンドウ内のテキスト１１１が選択された様子を示す図であり、図１（Ｂ）は、タスク管理画面１２０を開く動作を説明する図であり、図２は、本発明の第１実施例のアプリケーションソフトウェアの概略のチャートを示す図である。
【００１８】
本発明の第１実施例であるアプリケーションソフトウェアは、コンピュータの一例であるパーソナルコンピュータにインストールされ、メッセージやり取りシステム１００を構成している。
本実施例では、アプリケーションソフトウェアとして説明するが、追加用アドオンプログラムであってもよい。
追加用アドオンプログラムは、コンピュータにおいて実行するアプリケーションソフトウェアの機能を拡張するものである。
前提として、コンピュータには、アプリケーションソフトウェアがインストールされている。
さらに、追加用アドオンプログラムが、コンピュータにインストールされている。
【００１９】
本実施例では、メッセージやり取りシステム１００におけるアプリケーションソフトウェアの一例として、図１（Ａ）に示すように、パーソナルコンピュータの液晶パネルや有機ＥＬパネルなどの表示部に表示されたチャットアプリケーションソフトウェアのトーク画面１１０について説明する。
トーク画面１１０では、営業グループのメンバーである高橋（パーソナルコンピュータのユーザー）、伊藤さん、田中さん、中川さんの４名がトーク画面１１０においてやりとりをしている。
そして、高橋（パーソナルコンピュータのユーザー）が、伊藤さんからのテキスト１１１「次回のＡ社への訪問は１０月３日午後です！」をマウスの左クリックを用いて選択したとする。
ここで、選択する際の操作は、スマートフォンの場合、所望の箇所を指先でタッチする所謂、タップでもよい。
【００２０】
すると、図２のステップＳ１に示すように、選択判定ステップとして、テキスト１１１または画像がユーザーによって選択されたか否かを、パーソナルコンピュータの制御部（以下、単にパーソナルコンピュータ）が判定する。
選択されたと判定した場合、ステップＳ２へ進み、他方、選択されていないと判定した場合、ステップＳ１を繰り返す。
【００２１】
ステップＳ２では、選択内容登録ステップとして、ユーザーの所定操作の一例として右クリックで開かれた小ウィンドウのコマンドリストからタスク管理ページの一例であるタスク管理画面１２０を開く旨を選択する操作があったか否かを、パーソナルコンピュータが判定する。
タスク管理画面１２０を開く旨の操作があったと判定した場合、ステップＳ３へ進み、他方、否と判定した場合、ステップＳ３を繰り返す。
なお、本実施例では、ユーザーの所定操作の一例として右クリックについて説明したが、キーボードの所定キーを押して操作する所謂、ショートカットキーによってコマンドを入力してもよい。スマートフォンの場合、所望のテキスト箇所や画像箇所を選択すると、右クリックの場合と同様、小ウィンドウのコマンドリストが表示され、その中からユーザーがタスク管理画面１２０を開く旨を選択する操作をすればよい。
ステップＳ３では、選択内容登録ステップとして、パーソナルコンピュータが、図１（Ｂ）に示すように、液晶パネルや有機ＥＬパネルなどの表示部において、タスク管理画面１２０を表示し、ステップＳ４へ進む。
【００２２】
ここで、タスク管理画面１２０には、タスク名の欄１２１、メモ欄１２２、通知設定の欄１２３、期限の欄１２４、通知手段の欄１２５、共有設定欄１２６、保存ボタン１２７、取消ボタン１２８が設けられている。
このうち、タスク名の欄１２１には、タスクのタイトルが入力される。
また、メモ欄１２２には、ユーザーによって選択された内容が後述するように入力される。
通知設定の欄１２３は、ＯＮに設定されることにより、その期限の所定時間前になったときに、設定された方法によって期限がある旨の通知を受けるように構成されている。
期限の欄１２４は、その期限がある旨の通知を、その期限のどれだけ前にユーザーが受け取りたいかが設定される構成であり、期限の何分前、何時間前、何日前になったとコンピュータが判定したときに、設定された方法によって通知される。
【００２３】
通知手段の欄１２５では、その期限がある旨の通知を、メール、チャット、音声、表示部における表示などの手段が選択されて設定されるように設けられている。
共有設定欄１２６は、他のメンバーに開示するか否か、また、どのメンバーに開示するかが設定されるように設けられている。
保存ボタン１２７は、押されることにより、パーソナルコンピュータが、入力された内容、設定された内容をサーバやクラウド上に保存するように設けられている。
取消ボタン１２８は、押されることにより、パーソナルコンピュータが、入力された内容、設定された内容をリセットするように設けられている。
【００２４】
ステップＳ４では、選択内容登録ステップとして、パーソナルコンピュータが、ステップＳ１で選択されたと判定した内容をタスク管理画面１２０の所定欄としてのメモ欄１２２に入力する。
これにより、所定操作の一例として右クリックでタスク管理ページの一例であるタスク管理画面１２０を開く旨の操作をするだけで選択された箇所の内容がタスク管理ページとしてのタスク管理画面１２０に登録自在となる。
そして、ステップＳ５へ進む。
ステップＳ５では、選択内容登録ステップとして、ユーザー（高橋）によって保存ボタン１２７が押されたか否かを、パーソナルコンピュータが判定する。
押されたと判定した場合、ステップＳ６へ進み、押されていないと判定した場合、ステップＳ５を繰り返す。
【００２５】
ステップＳ６では、選択内容登録ステップとして、パーソナルコンピュータが、タスク管理画面１２０において入力された内容をサーバやクラウド上に保存・登録する。
なお、本実施例では、タスク管理画面１２０を実際に開いて表示したが、タスク管理画面１２０を開いて表示する動作を省略して、選択された内容をタスク管理画面１２０に登録するように構成してもよい。
【００２６】
このようにして得られた本発明の第１実施例であるアプリケーションソフトウェアは、コンピュータの表示部に表示されるウィンドウ内のテキスト１１１箇所や画像箇所がユーザーによって選択されたか否かを判定する選択判定ステップＳ１と、選択された箇所の内容をユーザーの所定操作によりスケジュール管理ページまたはタスク管理ページとしてのタスク管理画面１２０に登録するまたは登録自在にする選択内容登録ステップＳ２〜Ｓ６とをコンピュータに実行させることにより、ユーザーは選択した箇所の内容を簡単にタスク管理画面１２０に登録してスケジュールやタスクリストに組み込むことができる。
【００２７】
さらに、選択内容登録ステップＳ２〜Ｓ６は、所定操作によりタスク管理画面１２０を表示部において表示するとともに選択された箇所の内容をタスク管理画面１２０に入力して登録自在にすることにより、ユーザーはタスク管理画面１２０を確認しながら選択した箇所の内容を登録することができる。
【００２８】
また、所定操作が、マウスの右クリックによる操作であることにより、マウスの左クリックでテキスト１１１箇所や画像箇所を選択してから右クリックで操作すればよく、ユーザーは選択した箇所の内容をスムーズに、かつ、簡単にスケジュール管理ページまたはタスク管理ページに登録することができる。
【００２９】
さらに、テキスト１１１や画像が、ウィンドウ内で他のユーザーと対話形式でやり取りされる構成であることにより、所謂、チャット形式のウィンドウで次々に表示される中で、ユーザーは重要な箇所の内容が次々に新しいテキスト１１１や画像が表示されるウィンドウの中に埋もれてしまうことを回避することができるなど、その効果は甚大である。
【実施例２】
【００３０】
続いて、本発明の第２実施例であるアプリケーションソフトウェアについて、図３（Ａ）および図３（Ｂ）に基づいて説明する。
ここで、図３（Ａ）は、本発明の第２実施例のアプリケーションソフトウェアでタスク管理画面１３０を開いてメンバー共通の空き時間を検索する動作を説明する図であり、図３（Ｂ）は、メンバー共通の空き時間の検索結果を表示した図である。
第２実施例のアプリケーションソフトウェアは、第１実施例のアプリケーションソフトウェアのタスク管理ページとしてのタスク管理画面１２０を、異なる形式のタスク管理画面１３０に変更したものであり、多くの要素について第１実施例のアプリケーションソフトウェアと共通するので、共通する事項については詳しい説明を省略する。
【００３１】
図３（Ａ）に示すように、トーク画面１１０においてマウスの左クリックでテキスト１１１を選択してから右クリックで開かれる小ウィンドウのコマンドリストからタスク管理ページとしてのタスク管理画面１３０を開く旨を選択する操作をすると、表示部において、タスク管理画面１３０が開かれる。
ここで、タスク管理画面１３０には、期限情報の欄１３１、場所情報の欄１３２、メンバー情報の欄１３３、共通時間検索ボタンである「時間を探す」ボタン１３４、保存ボタン１３５、取消ボタン１３６が設けられている。
【００３２】
このうち、期限情報の欄１３１には、タスクの期限の日時についての情報が入力される。
場所情報の欄１３２には、そのタスクの場所についての情報が入力される。
メンバー情報の欄１３３には、そのタスクに関係するメンバーとして、トーク画面１１０でやりとりした営業グループのメンバーが入力される。
「時間を探す」ボタン１３４は、営業グループのメンバーである高橋、伊藤さん、田中さん、中川さんの全員の予定を確認したい場合に押される。
押されると、コンピュータが、メンバーのタスク管理画面１２０の情報やタスク管理画面１３０の情報を検索する。
【００３３】
そして、図３（Ｂ）に示すように、コンピュータが、検索結果として「２０１７．１０．３  １５：００−１８：００共通の空き有り」の旨を表示する。
メンバー予定登録ボタンである「予定を押さえる」ボタン１３７が押されると、コンピュータが、メンバー全員のスケジュール（タスク）について、その時間である１５：００−１８：００の時間帯の予定を入力する。
そして、保存ボタン１３５が押されると、コンピュータが、入力された内容を登録・保存する。
【００３４】
このようにして得られた本発明の第２実施例であるアプリケーションソフトウェアは、コンピュータの表示部に表示されるウィンドウ内のテキスト１１１箇所や画像箇所がユーザーによって選択されたか否かを判定する選択判定ステップＳ１と、選択された箇所の内容をユーザーの所定操作によりスケジュール管理ページまたはタスク管理ページとしてのタスク管理画面１３０に登録するまたは登録自在にする選択内容登録ステップＳ２〜Ｓ６とをコンピュータに実行させることにより、ユーザーは選択した箇所の内容を簡単にタスク管理画面１３０に登録してスケジュールやタスクリストに組み込むことができるなど、その効果は甚大である。
【実施例３】
【００３５】
続いて、本発明の第３実施例であるアプリケーションソフトウェアについて、図４（Ａ）および図４（Ｂ）に基づいて説明する。
ここで、図４（Ａ）は、本発明の第３実施例のアプリケーションソフトウェアのウィンドウ内でテキストが選択された様子を示す図であり、図４（Ｂ）は、カレンダー画面１５０を開く動作を説明する図である。
第３実施例のアプリケーションソフトウェアは、第１実施例のアプリケーションソフトウェアのトーク画面１１０をメールブラウザ１４０に変更したものであり、多くの要素について第１実施例のアプリケーションソフトウェアと共通するので、共通する事項については詳しい説明を省略する。
【００３６】
図４（Ａ）に示すように、コンピュータの表示部に表示されたメールブラウザ１４０に、受信メールが表示されている。
そして、受信メールにおけるテキスト１４１選択箇所が示すように、ユーザーによるマウスの左クリックの操作によってテキスト１４１が選択されている。
この内容を、ユーザーが、スケジュール管理ページであるカレンダー画面１５０に登録して予定を作成することが考えられる。
このとき、ユーザーは、所定操作としてマウスの右クリックで開かれる小ウィンドウのコマンドリストからカレンダー画面１５０を開く旨を選択する操作を行う。
【００３７】
すると、図４（Ｂ）に示すように、コンピュータが、ブラウザの新しいタブによって予め設定されたカレンダー画面１５０を開いて表示するとともに、選択されたメール情報をカレンダー画面１５０に登録自在にする。
ここで、「登録自在」とは、登録する直前であって、ユーザーが登録するか否かを選択自在な段階（状態）のことをいう。
【００３８】
具体的に、カレンダー画面１５０には、タイトル欄１５１、日付情報欄１５２、時間情報欄１５３、場所欄１５４、ユーザー選択欄１５５、説明欄１５６、保存ボタン１５７が設けられている。
そして、選択された受信メールのタイトルが、カレンダー画面１５０のタイトル欄１５１に入力される。
ユーザー選択欄１５５には、ユーザーの名前が選択されて入力される。
また、説明欄１５６には、選択された受信メールの表示画面のＵＲＬへ転送する短縮ＵＲＬ情報１５６ａが入力される。
【００３９】
さらに、右クリック操作前に、受信メールのテキスト１４１が選択されていた場合、テキスト１４１選択箇所のテキストデータが、説明欄１５６の短縮ＵＲＬ情報１５６ａの後に、入力される。
ユーザーは、その他の必要な箇所を入力して、保存ボタン１５７を押す、または「Ｔａｂ」キーで保存ボタン１５７を選択してエンターキーを押す。
これにより、選択したメールの内容が、カレンダー画面１５０に入力され、このカレンダー画面１５０がクラウド上またはサーバに保存・登録される。
【００４０】
なお、カレンダー画面１５０をブラウザの新しいタブによって開いたが、ブラウザの新しいウィンドウによって開いてもよいのは勿論である。
カレンダー画面１５０には、リマインダー機能（図示せず）も付いていて、予定として設定した所定時間前にユーザーに対してポップアップウィンドウなどで予定がある旨を知らせるように構成されている。
【００４１】
このようにして得られた本発明の第３実施例であるアプリケーションソフトウェアは、コンピュータの表示部に表示されるウィンドウ内のテキスト１４１箇所や画像箇所がユーザーによって選択されたか否かを判定する選択判定ステップＳ１と、選択された箇所の内容をユーザーの所定操作によりスケジュール管理ページまたはタスク管理ページとしてのカレンダー画面１５０に登録するまたは登録自在にする選択内容登録ステップＳ２〜Ｓ６とをコンピュータに実行させることにより、ユーザーは選択した箇所の内容を簡単にカレンダー画面１５０に登録してスケジュールやタスクリストに組み込むことができるなど、その効果は甚大である。
【符号の説明】
【００４２】
１００  ・・・  メッセージやり取りシステム
１１０  ・・・  トーク画面（ウィンドウ）
１１１  ・・・  テキスト（選択された箇所）
１２０  ・・・  タスク管理画面（タスク管理ページ）
１２１  ・・・  タスク名の欄
１２２  ・・・  メモ欄
１２３  ・・・  通知設定の欄
１２４  ・・・  期限の欄
１２５  ・・・  通知手段の欄
１２６  ・・・  共有設定欄
１２７  ・・・  保存ボタン
１２８  ・・・  取消ボタン
１３０  ・・・  タスク管理画面（タスク管理ページ）
１３１  ・・・  期限情報の欄
１３２  ・・・  場所情報の欄
１３３  ・・・  メンバー情報の欄
１３４  ・・・  「時間を探す」ボタン（共通時間検索ボタン）
１３５  ・・・  保存ボタン
１３６  ・・・  取消ボタン
１３７  ・・・  「予定を押さえる」ボタン（メンバー予定登録ボタン）
１４０  ・・・  メールブラウザ（ウィンドウ）
１４１  ・・・  テキスト（選択された箇所）
１５０  ・・・  カレンダー画面（スケジュール管理ページ）
１５１  ・・・  タイトル欄
１５２  ・・・  日付情報欄
１５３  ・・・  時間情報欄
１５４  ・・・  場所欄
１５５  ・・・  ユーザー選択欄
１５６  ・・・  説明欄
１５６ａ・・・  短縮ＵＲＬ情報
１５７  ・・・  保存ボタン
【図１】
2019067298.tif 000003
【図２】
2019067298.tif 000004
【図３】
2019067298.tif 000005
【図４】
2019067298.tif 000006